(57)【要約】【課題】リール本体の限られたスペースを有効活用し、コストの低減を図りつつ十分な強度を維持することができる魚釣用リールを提供すること。【解決手段】巻取り駆動部４６を配置したフレーム１６ｂに、ハンドル３０の回転操作で連動回転するラチェット５４の逆転を防止する逆転防止機構を設け、このフレーム１６ｂに、側板２０ｂをネジ部材１８で取付け固定したリール本体１２を備える魚釣用リール１０であって、フレーム１６ｂに、ラチェット５４の逆回転を阻止するストッパ５６を支持するボス部６０を配置し、このボス部６０に、側板２０ｂを抜け止めするネジ部材１８を螺合した魚釣用リール。【選択図】    図１
2008187897.tif 000002
【特許請求の範囲】
【請求項１】
巻取り駆動機構を配置した駆動部品装着部に、ハンドルの回転操作で連動回転する回転体の逆転を防止する逆転防止機構を設け、この駆動部品装着部に、側カバー部材をネジ部材で取付け固定したリール本体を備える魚釣用リールであって、
前記駆動部品装着部に、前記回転体の逆回転を阻止する係止部材を支持するボス部を配置し、このボス部に、前記側カバー部材を抜け止めするネジ部材を螺合したことを特徴とする魚釣用リール。
【発明の詳細な説明】
【技術分野】
【０００１】
本発明は、魚釣用リールに関し、特に、ハンドルの回転操作で連動回転する回転体の逆転を防止する逆転防止機構を備えた魚釣用リールに関する。
【背景技術】
【０００２】
従来、掛かった魚で釣糸が不必要に繰出されるのを防止するため、魚釣用リールには、ハンドルの回転操作で連動回転する回転体の逆転を防止する逆転防止機構が設けられるのが一般的である。このような逆転防止機構には、魚釣用スピニングリールの巻取り駆動機構が設けられるリール本体内に、ハンドルの回転操作に連動回転する逆転防止体とこの逆転防止体の釣糸の繰出し方向の逆転を防止する係止部材とを配置し、この係止部材を、リール本体に一体的に形成したボス部に回転可能に支持すると共に、このボス部に螺合した別個のネジで抜け止めしたものがある（例えば特許文献１）。
【０００３】
また、両軸リールのリール本体に形成したボス部を介して、複数のネジで固定されて巻取り駆動機構および逆転防止機構を閉塞する外側板の内壁面により、このような係止部材を抜け止めしたものもある（例えば特許文献２参照）。
【特許文献１】実開昭５２−１９４９０号公報
【特許文献２】特開２００２−２３８４１７号公報
【発明の開示】
【発明が解決しようとする課題】
【０００４】
しかし、リール本体の駆動部材が装着される部分、例えば両軸リールのフレーム基板、スピニングリールのボディの内壁等に、逆転を防止する係止部材の支持用ボス部（ネジ取付け用ボス部を含む）と外側板の取付け用ボス部のそれぞれを設けるスペースを確保する必要があり、このために、リール本体が大型化すると共に、他の駆動部材を装着するスペース上の制約が生じ、設計の自由度が低下する。
【０００５】
本発明は、このような事情に基づいてなされたもので、リール本体の限られたスペースを有効活用し、コストの低減を図りつつ十分な強度を維持することができる魚釣用リールを提供することを目的とする。
【課題を解決するための手段】
【０００６】
上記目的を達成するため、本発明によると、巻取り駆動機構を配置した駆動部品装着部に、ハンドルの回転操作で連動回転する回転体の逆転を防止する逆転防止機構を設け、この駆動部品装着部に、側カバー部材をネジ部材で取付け固定したリール本体を備える魚釣用リールであって、前記駆動部品装着部に、前記回転体の逆回転を阻止する係止部材を支持するボス部を配置し、このボス部に、前記側カバー部材を抜け止めするネジ部材を螺合した魚釣用リールが提供される。
【発明の効果】
【０００７】
この魚釣用リールによると、逆転防止用の係止部材を支持するボス部と側カバー部材の取付け用のボス部とを兼用することにより、駆動部品が装着されるリール本体の限られたスペースを最大限に有効活用して、リール本体を小型化し、更に、取付け用のネジ部材を係止部材の抜け止めとして兼用化することにより、部品点数およびコストを低減し、更に、逆転防止用の係止部材を支持するボス部が、側カバー部材の取り付けネジをねじ込まれることにより、このボス部が補強される。
【発明を実施するための最良の形態】
【０００８】
図１から図３は、本発明の好ましい実施形態による魚釣用リール１０を示す。
【０００９】
図１および図２に示すように、本実施形態の魚釣用リール１０は、両軸受型手巻きリールとして形成してある。この魚釣用リール１０のリール本体１２は、支柱状の連結部材１４等で一体化される左右一対のフレーム１６ａ，１６ｂのそれぞれの外側に、複数のネジ部材１８により、側カバー部材である側板２０ａ，２０ｂを取付けて、全体的に剛性構造のハウジングとして形成され、取付脚部２２を介して釣竿に固定される。
【００１０】
釣糸が巻回されるスプール２４は、左右のフレーム１６ａ，１６ｂ間に回転自在に支持され、右側板２０ｂは、スプール２４を回転駆動させる巻取り駆動部４６を支持し、この右側板２０ｂ内に右フレーム１６ｂで区画された空間内に、この巻取り駆動部４６の駆動力伝達系やドラグ系等の各種機構が収容される。本実施形態では、リール本体１２の特に右フレーム１６ｂが、巻取り駆動機構を配置するための駆動部品装着部を形成する。
【００１１】
このリール本体１２のフレーム１６ａ，１６ｂ間には、スプール２４を装着してこのスプール２４と共に回転するスプール軸２４ａの両端部が、例えば図示のようなボール軸受２６ａ，２６ｂを介して回転自在に支持されている。このスプール軸２４ａの一端側から右フレーム１６ｂを通して突出する端部は、このスプール軸２４ａと一体で同軸状に配置されるピニオン軸２８ａとして形成してあり、軸受２６ｃを介して側板２０ｂで回転自在に支えられている。このピニオン軸２８ａ上に、ハンドル３０で回転駆動されるピニオン２８が移動可能に支持されている。
【００１２】
このピニオン２８は、ピニオン軸２８ａを挿通する筒状構造を有し、ピニオン軸２８ａ上に回転可能かつ軸方向に移動可能に支持されている。このピニオン２８は、支軸３２ａが右側板２０ｂを貫通しかつこの右側板２０ｂで支えられたクラッチレバー３２を介して、クラッチ機構３４をＯＮ／ＯＦＦ操作することにより、図２に示すように、スプール軸２４ａに嵌合してスプール軸２４ａと一体的に回転する係合位置と、スプール軸２４ａとの係合状態が解除された非係合位置との間を移動することができる。
【００１３】
このピニオン２８の移動は、ピニオン２８に形成された周溝２８ｂに係合する作動部材３６を、クラッチ機構３４のＯＮ／ＯＦＦ操作に連動させて、ピニオン軸２８ａに沿って移動することで行うことができる。ピニオン２８が図１に示す係合位置に配置されたときに、クラッチＯＮの釣糸巻取可能状態となり、図示しない非係合位置では、クラッチＯＦＦのスプールフリー回転状態となる。このクラッチＯＦＦの状態からハンドル３０を回転すると、図示しない復帰機構を介して、クラッチＯＮの状態に復帰することができる。
【００１４】
本実施形態の作動部材３６は、ピニオン２８の周溝２８ｂに嵌合する中央部から径方向外方に延びる各腕部の先端が、右フレーム１６から突設させた短軸３８（図１）に摺動自在に装着され、右フレーム１６ｂ側にバネ付勢されている。また、クラッチ機構３４は、右フレーム１６ｂと作動部材３６との間で、右フレーム１６ｂに沿って矢印Ｓで示すピニオン２８に近接する方向および離隔する方向に往復動する作動プレート４０に設けられたカム４０ａを有し、この作動プレート４０がピニオン２８側に移動すると、カム４０ａが作動部材３６の腕部を右フレーム１６ｂから離隔する方向に移動する。この作動部材３６の移動により、周溝２８ｂを介してピニオン２８を右側板２０ｂ側に移動され、スプール軸２４ａとピニオン２８との係合が解除され、クラッチＯＦＦの状態となる。スプール２４は自由に回転することができる。
【００１５】
この作動プレート４０を移動するため、クラッチレバー３２の支軸３２ａにリンク部材４２（図２）を回り止めして連結し、このリンク部材４２に設けた係合ピン４２ａを作動プレート４０の長孔４０ｂに嵌合させることにより、このクラッチレバー３２と作動プレート４０とを連結してある。作動プレート４０は、クラッチＯＮの状態とクラッチＯＦＦの状態とのそれぞれの位置に、公知の振分けバネ（図示しない）で振り分け付勢保持される。
【００１６】
また、ピニオン２８には、釣糸の繰り出しで回転するドライブギア４４が噛合する。このドライブギア４４は、巻取り駆動部４６を構成する支軸としてのハンドル軸３０ａに回転可能に支持されている。このハンドル軸３０ａの両端部は、右フレーム１６ｂおよび側板２０ｂに軸受４８（一方のみを示す）によって回転可能に支持されている。
【００１７】
ハンドル軸３０ａを、その外端部に取り付けられたハンドル３０により、釣糸巻取り方向に回転操作すると、ドライブギア４４とハンドル軸３０ａとの間に介挿されたドラグ機構５０を介してドライブギア４４が回転され、それに伴ってピニオン２８が回転する。そして、クラッチ機構がクラッチＯＮの状態にあると、スプール軸２４ａが回転駆動され、スプール２４が回転される。このとき、図示しないレベルワインド機構により、釣糸がスプール２４上に均等に巻回される。
【００１８】
このハンドル軸３０ａの途中には、このハンドル軸３０ａを釣糸巻取り方向である一方向にのみ回転を許容するローラタイプの一方向クラッチ５２が設けられている。また、ハンドル軸３０ａの内端部には、ハンドル３０の回転操作で連動回転する回転体として、ラチェット５４が回り止め嵌合されており、係止部材としてリール本体１２の右側板２０ｂに装着されたストッパ５６と噛合する。これらのラチェット５４およびストッパ５６は、一方向クラッチ５２に滑りが生じた場合であっても、ストッパ５６がラチェット５４の歯と機械的に確実に噛合することにより、回転体であるラチェット５４およびハンドル軸３０ａの逆転を確実に阻止することができる逆転防止機構を形成する。なお、符号５４ａは、このラチェット５４から右フレーム１６ｂ側に突出し、クラッチＯＦＦの状態からハンドル３０を回転したときに、クラッチＯＮの状態に復帰させる復帰機構（図示しない）を作動するクラッチ復帰用のボスを示す。
【００１９】
図３に拡大して示すように、このストッパ５６は、その先端部に、ラチェット５６の歯を係止する爪が形成され、基端部に形成された貫通孔５６ａを介して、右フレーム１６ｂから右側板２０ｂ側に突出するボス部６０に装着される。このストッパ５６は、一端が右フレーム１６ｂに固定されたコイルバネ５８の他端により、先端部がラチェット５４に係合する方向に常時付勢されている。
【００２０】
本実施形態のボス部６０は、右フレーム１６ｂ側の大径部６０ａと右側板２０ｂ側の小径部６０ｂとを有する段付構造に形成されており、この大径部６０ａと小径部６０ｂとの間に段部６０ｃが形成される。ストッパ５６は、基端部の貫通孔５６ａを小径部６０ｂに嵌合して、この段部６０ｃに載置されることにより、右フレーム１６ｂおよびラチェット５４に対して、位置決めされる。このストッパ５６をボス部６０に装着して位置決めした後、コイルバネ５８をこの小径部６０ｂに装着し、コイルバネ５８の端部をそれぞれ右フレーム１６ｂとストッパ５６とに係止することにより、ストッパ５６は、ボス部６０を中心として揺動することができる。
【００２１】
このようにストッパ５６を揺動自在に支えるボス部６０は、その小径部６０ｂの軸芯に沿う中央部にネジ孔６２を形成してあり、右側板２０ｂを右フレーム１６ｂに取付けるネジ部材１８を螺合することができる。
【００２２】
このように、ハンドル軸３０ａおよびラチェット５４の逆転防止用の係止部材であるストッパ５６を支持するボス部６０が、右側板２０ｂの取付け用のネジ部材１８を螺合するボス部を兼用することにより、巻取り駆動機構のハンドル軸３０ａ、ドライブギア４４およびドラグ機構５０等の駆動部品が装着されるリール本体１２内の限られたスペースを最大限に有効活用して、リール本体１２の全体を小型化し、更に、取付け用のネジ部材１８をストッパ５６の抜け止めとして兼用化することにより、部品点数およびコストを低減することができる。
【００２３】
更に、ストッパ５６を支持するボス部６０が、右側板２０ｂの取り付け用のネジ部材１８をねじ込まれることにより、このボス部６０がネジ部材１８および右側板２０ｂで補強される。これにより、ボス部６０の小径部６０ｂを更に小径化し、右フレーム１６ｂと右側板２０ｂとで囲まれるスペースを更に有効に活用することもできる。なお、図１および図３に示すように、ボス部６０を右フレーム１６ｂの周壁部１６ｃと一体化することにより、その強度を増大することが可能であるが、周壁部１６ｃから分離した状態に形成することも可能である。
【００２４】
図４および図５は、スピニングリールとして形成した魚釣用リール１１０の実施形態を示す。
【００２５】
図４に示すように、本実施形態の魚釣用リール１１０は、リール本体１１２が、剛性構造のリールボディ１１２ａと、このリールボディ１１２ａの一側に複数本のネジ部材１１４で着脱可能に固定される側カバーである蓋体１１２ｂとを有し、リールボディ１１２ａから延出する脚部１１２ｃの端部に形成された竿取付部（図示しない）を介して釣竿に取付けることができる。このリールボディ１１２ａと蓋体１１２ｂとで形成されるリール本体１１２の内部空間内には、スプール１１６に釣糸を巻回するための巻取駆動機構が収容される。
【００２６】
このリールボディ１１２ａの一側には、種々の駆動部材を挿入して組み付ける収容凹部１１８を形成し、この収容凹部１１８の開口部を蓋体１１２ｂで閉じ、リール本体１１２の全体を剛性構造に形成している。具体的には、この巻取駆動機構は、リール本体１１２内に回転自在に支持され、一端に連結したハンドル１２０（図４）により、リール本体１１２に対して回転するハンドル軸１２２を有する。このハンドル軸１２２には、ハンドル１２０により回転されたときに、このハンドル軸１２２と共に回転するドライブギア１２４が取付けられている。このドライブギア１２４にはピニオン１２６が噛合している。本実施形態では、このリール本体１１２の特にリールボディ１１２ａが巻取り駆動機構を配置するための駆動部品装着部を形成する。
【００２７】
ピニオン１２６は、ハンドル軸１２２に対して直交する方向に延び、かつリールボディ１１２ａと蓋体１１２ｂとで支えられる軸受１２８（一方のみを示す）を介して回転可能に支持された軸筒１３０に一体的に設けられている。このピニオン１２６が設けられた軸筒１３０の先端部には、ベール１３２および釣糸案内部１３４を備えたロータ１３６が一体的に取り付けられ、この軸筒１３０を、ハンドル軸１２２と直交する方向に延在するスプール軸１３８が貫通している。このスプール軸１３８は、ピニオン１２６と同心的に配されており、スプール往復動装置１４０により、ハンドル軸１２２と直交する方向すなわちピニオン１２６の軸方向に沿ってこの内部を前後動することができる。このスプール軸１３８の先端部に、釣糸が巻回されるスプール１１６が取り付けられる。
【００２８】
本実施形態の魚釣用リール１１０は、逆転防止機構として、筒軸１３０に回り止めされて装着された回転部材としてのラチェット１４２と、このラチェット１４２に係合して逆転を防止する係止部材としてのストッパ１４４とを有する。このラチェット１４２は、上述の実施形態のラチェット５４と同様に、釣糸の巻取り側に緩傾斜面を形成し、逆転側に急傾斜の傾斜面を形成する多数の爪部を有し、ストッパ１４４は、この爪部に係合する係合端１４４ａが板状に形成されており、筒軸１３０およびラチェット１４２が釣糸繰出し方向に逆転したときに、逆転を阻止し、釣糸巻取り方向に回転した場合には、筒軸１３０およびラチェット１４２の回転を可能とするように構成されている。
【００２９】
このストッパ１４４は、中間部１４４ｂを介して、リールボディ１１２ａに一体形成されたボス部１４８に装着され、この中間部１４４ｂから腕部１４４ｃが後方すなわちスプール１１６と反対方向に向け、係合端１４４に略直交する方向に延び、全体的にＬ字状に屈曲した形状を有する。具体的には、中間部１４４ｂに形成された貫通孔１４６を、ハンドル軸１２２と平行なボス部１４８の支柱あるいは小径部１５０に装着され、バネ部材１５２により、係合端１４４ａがラチェット１４２に係合する方向に付勢されている。このボス部１４８に設けた小径部１５０に、蓋体１１２ｂの取付けネジ部材１１４を螺合するネジ孔１５４が形成されている。
【００３０】
また、このストッパ１４８の腕部１４４ｃを介して、ストッパ１４４を回動し、係合端１４４ａがラチェット１４２に係合する位置と、非係合位置との間で移動するため、リール本体１２の後端に切換レバー１５６を設けてあり、この切換レバー１５６に連結されたロッド部材１５８の先端に設けた作動部１５８ａが、リールボディ１１２ａに中間部を枢着された中間レバー１６０を通じて切換操作し、ラチェット１４２、筒軸１３０およびロータ１３６が正逆転可能な状態と、正転可能でかつ逆転不能の状態とに切換えることができる。ロータ１３６がいずれの状態にあっても、ハンドル１２０を正転方向（釣糸をスプールに巻き取る方向）に回転すると、図示しない復帰機構を介して、釣糸放出位置にあるベール１３２を、図１に示す釣糸巻取位置に復帰させることができる。
【００３１】
なお、中間レバー１６０は、バネ部材１６２により、作動部１５８ａに係合する状態に付勢されているが、作動部１５８ａが中間レバー１６０の端部を挟持するように保持する場合には、このバネ部材１６２を省略することもできる。
【００３２】
なお、上述の実施形態は、それぞれ変形可能なことは明らかであり、例えばスピニングリール１１０に、図１から図３の実施形態と同様なローラタイプの一方向クラッチおよびドラグ装置を設けることも可能である。
【図面の簡単な説明】
【００３３】
【図１】本発明の好ましい実施形態による魚釣用リールを示す部分断面図。
【図２】図１の魚釣用リールの釣糸繰出し方向から見た部分断面図。
【図３】図１の円ＩＩＩで囲んだ部分の拡大図であり、（Ｂ）は（Ａ）のＡ−Ａ線に沿う断面図。
【図４】他の実施形態による魚釣用リールの部分断面図。
【図５】図４の円Ｖで囲んだ部分の拡大図。
【符号の説明】
【００３４】
１０，１１０…魚釣用リール、１２，１１２…リール本体（駆動部品装着部）、２０ａ，２０ｂ…側板（側カバー）、１１２ｂ…蓋体（側カバー）、１８，１１４…ネジ部材、６０，１４８…ボス部。
【図１】
2008187897.tif 000003
【図２】
2008187897.tif 000004
【図３】
2008187897.tif 000005
【図４】
2008187897.tif 000006
【図５】
2008187897.tif 000007